(57)【要約】【課題】携帯電話に組み込まれるカメラにおいて、通常撮影位置と過焦点位置及びマクロ撮影位置での撮影モードの切り替え機構を可能とする。【解決手段】ホルダ１に高さの異なる第1、第２、第３カム面４Ａ,４Ｂ,４Ｃを形成し、繰出しリング１５に当接部１７を形成する。当接部１７と最も低い第１カム面４Ａと係合した位置が通常撮影位置である。操作ノブ１８を時計方向に回すと繰出しリング１５が回転し、当接部１７が中間の第２カム面４Ｂに乗り上がる。この状態が過焦点撮影位置であり、さらに、操作ノブ１８を時計方向に回転すると、繰出しリング１５の当接部１７がホルダ１に形成する最も高い第３カム面４Ｃに乗り上がり、マクロ撮影位置での焦点を得ることができる。【選択図】図１
2008261943.tif 000002
【特許請求の範囲】
【請求項１】
レンズユニットを備えた鏡筒と、この鏡筒を保持する繰出しリングと、この繰出しリングを回動自在かつ光軸方向に移動自在に支持するホルダと、このホルダに前記繰出しリングを保持するカバーとを備え、前記繰出しリングと前記ホルダとの何れか一方の当接面に高さが異なる３つ以上の段差状のカム面を形成し、他方には前記カム面と係合可能な当接部を形成し、前記繰出しリングの回転により前記各カム面の何れかのカム面と当接部とを係合させ、少なくとも通常撮影モードと過焦点モード及びマクロ撮影モードの何れか撮影モードでの焦点が選択的に切り替え可能であることを特徴とするレンズ繰出し装置。
【請求項２】
前記繰出しリングに操作ノブを形成するとともに、この操作ノブにより繰出しリングを回転操作することによって、通常撮影モードと過焦点モード及びマクロ撮影モードの何れか撮影モードに選択的に切り替え可能であるとともに、その撮影モード切り替え時に前記ホルダに対して前記繰出しリングを位置決め保持するためのクリックリングを前記繰出しリングの外周に設けたことを特徴とする請求項１記載のレンズ繰出し装置。
【請求項３】
前記繰出しリングを位置決め保持する手段として前記クリックリングとカバーの何れか一方に、前記各撮影モードでの繰出しリングの位置に対応する凹状の係合受部を形成し、他方には前記係合受部と係合する係合突部を設けたことを特徴とする請求項２記載のレンズ繰出し装置。
【請求項４】
前記クリックリングが、前記繰出しリングの外周に回り止め状態で上下動自在組み付けられ、該クリックリングと前記ホルダとの間に弾性体を介在させ、この弾性体によって前記繰出しリングを前記ホルダ側に付勢するとともに、前記クリックリングを前記カバー側に付勢したことを特徴とする請求項３記載のレンズ繰出し装置。
【請求項５】
前記レンズ繰出し装置が、携帯電話機に組み付けられることを特徴とする請求項１〜４の何れか１項に記載のレンズ繰出し装置。
【発明の詳細な説明】
【技術分野】
【０００１】
本発明は、光学系機器におけるレンズ繰出し装置、特に、カメラ機能を備えた携帯電話機に組み付けられるレンズユニットの焦点調整機構に関し、通常撮影位置と過焦点位置及びマクロ撮影位置において焦点合わせを可能とするレンズ繰出し装置に関する。
【背景技術】
【０００２】
近年、携帯電話に搭載したカメラの機能として通常撮影とマクロ撮影が選択可能としたものが知られている。このようなカメラ付き携帯電話におけるマクロ撮影用レンズ繰出し装置として本願出願人は、特許文献１において、ＣＣＤ等が組込まれたホルダと、このホルダに組み込まれるレンズユニットを内蔵する鏡筒と、この鏡筒を螺着する繰出しリングと、前記ホルダと繰出しリングとの間に介在して繰出しリングのガタ付きを防止する弾性体と、繰出しリングに装着した操作ノブとから構成され、繰出しリングを操作用ノブと一体で回動することにより、ホルダの雌ネジと繰出しリングの雄ネジの螺合により繰出しリングを光軸方向に進退（上下動）させて通常撮影とマクロ撮影とを切り換えるように構成したマクロ撮影用レンズ繰出し装置を提案している。
【０００３】
【特許文献１】特開２００３−３３７２７９号公報
【発明の開示】
【発明が解決しようとする課題】
【０００４】
近年、携帯電話に搭載するカメラは、技術的進化の高速化により、搭載するカメラは益々高性能化され、画素数などのスペック自体は一般のデジタルカメラ並みとなってきている。このような携帯電話におけるカメラ機能の高性能・高機能・低背化の進化が着々と進み、さらなる性能向上が要求されている。こうしたカメラの画素数の増大という高性能化と低背化に伴い、焦点距離も短くなってきている。しかし、カメラのレンズは、焦点距離が短くなるほど、被写界深度、すなわち、ピントが合っているように見える領域も広がり、特に、通常撮影モードにおいて過焦点距離と最至近距離が自ずと長くなってしまう。この為、マクロ撮影モードでピントが合っているように見える領域を含んだとしても、通常撮影モードの最至近距離とマクロ撮影モードの奥側深度まで、ピントの合わない範囲が生じてしまうことから、特許文献１のように、通常撮影とマクロ撮影の２段階の切り換えだけでは、ピントの合わない距離が出来てしまう。このため、カメラの技術的進化によって、より鮮明な写真撮影が可能となる反面、ユーザがピントを合せているつもりで撮影しているにも拘らず、ユーザが意図しない不鮮明な写真が撮影されてしまう、といったことが起こり得る。
【０００５】
本発明は上述した問題点に鑑みてなされたものであり、通常撮影位置と過焦点位置及びマクロ撮影位置での撮影モードの切り替えを可能とし、その各撮影モードにおいて正確に焦点合わせを行うことができるレンズ繰出し装置を提供することを目的とする。
【課題を解決するための手段】
【０００６】
本発明の請求項１記載のレンズ繰出し装置は、レンズユニットを備えた鏡筒と、この鏡筒を保持する繰出しリングと、この繰出しリングを回動自在かつ光軸方向に移動自在に支持するホルダと、このホルダに前記繰出しリングを保持するカバーとを備え、前記繰出しリングと前記ホルダとの何れか一方の当接面に高さが異なる３つ以上の段差状のカム面を形成し、他方には前記カム面と係合可能な当接部を形成し、前記繰出しリングの回転により前記各カム面の何れかのカム面と当接部とを係合させ、少なくとも通常撮影モードと過焦点モード及びマクロ撮影モードの何れか撮影モードでの焦点が選択的に切り替え可能であることを特徴とする。
【０００７】
請求項１の構成により、ホルダに組み付けられた繰出しリングは、ホルダに沿って回動自在に保持され、かつ、カバーとホルダとの間に位置して光軸方向に移動自在に配置される。この時、繰出しリングとホルダとの何れか一方の当接面に形成する当接部が他方に形成する複数の何れかのカム面と係合し、最も低いカム面と当接部との係合時において、通常撮影位置でレンズユニットの焦点距離が合った状態、最も高いカム面と当接部との係合時において、マクロ撮影位置でレンズユニットの焦点距離が合った状態、これら各カム面の中間の高さのカム面と当接部との係合時において、過焦点撮影位置でレンズユニットのピントが合った状態であり、これら各カム面と当接部との係合を切り替えることで通常撮影位置、過焦点撮影位置、マクロ撮影位置での焦点合わせが可能となる。
【０００８】
本発明の請求項２記載のレンズ繰出し装置は、前記繰出しリングに操作ノブを形成するとともに、この操作ノブにより繰出しリングを回転操作することによって、通常撮影モードと過焦点モード及びマクロ撮影モードの何れか撮影モードに選択的に切り替え可能であるとともに、その撮影モード切り替え時に前記ホルダに対して前記繰出しリングを位置決め保持するためのクリックリングを前記繰出しリングの外周に設けたことを特徴とする。
【０００９】
請求項２の構成により、操作ノブにより繰出しリングを回転操作することによって、繰出しリングとホルダとの何れか一方の当接面に形成する当接部が他方に形成する複数の何れかのカム面と係合し、通常撮影位置、過焦点撮影位置、マクロ撮影位置での焦点合わせが可能となり、かつ、クリックリングによって通常撮影位置、過焦点撮影位置、マクロ撮影位置に対応してカム面と当接部とが係合した状態で繰出しリングを位置決め保持することが可能である。
【００１０】
本発明の請求項３記載のレンズ繰出し装置は、前記繰出しリングを位置決め保持する手段として前記クリックリングとカバーの何れか一方に、前記各撮影モードでの繰出しリングの位置に対応する凹状の係合受部を形成し、他方には前記係合受部と係合する係合突部を設けたことを特徴とする。
【００１１】
請求項３の構成により、クリックリングとカバーに形成する係合受部と係合突部との係合により、通常撮影位置、過焦点撮影位置、マクロ撮影位置の各撮影位置において繰出しリングを位置決め保持することが可能である。
【００１２】
本発明の請求項４記載のレンズ繰出し装置は、前記クリックリングが、前記繰出しリングの外周に回り止め状態で上下動自在組み付けられ、該クリックリングと前記ホルダとの間に弾性体を介在させ、この弾性体によって前記繰出しリングを前記ホルダ側に付勢するとともに、前記クリックリングを前記カバー側に付勢したことを特徴とする。
【００１３】
請求項４の構成により、クリックリングとホルダとの間に介在する弾性体によって、繰出しリングがホルダ側に付勢され、当接部が複数のカム面の何れかのカム面に確実に押し付けられ、かつ、その当接部とカム面との係合時において、クリックリングは、係合突部が係合受部に係合した状態で弾性体によって係合突部を係合受部に押し付けるように付勢され、係合受部からの係合突部の抜け出しを規制する。そして、繰出しリングを回転させると、クリックリングが弾性体の付勢力に抗して降下し、係合突部から係合受部が抜け出し、繰出しリングの回転によって当接部と他のカム面との係合時において、係合突部が隣接する係合突部と係合し、カム面と当接部とを係合した状態で繰出しリングの位置を保持することが可能となる。
【００１４】
本発明の請求項５記載のレンズ繰出し装置は、前記レンズ繰出し装置が、携帯電話機に組み付けられることを特徴とする。
【００１５】
請求項５の構成により、携帯電話機に組み込まれるカメラ機能として、通常撮影位置、過焦点撮影位置、マクロ撮影位置の各撮影位置において正確に焦点合わせが可能となる。
【発明の効果】
【００１６】
本発明の請求項１記載のレンズ繰出し装置によれば、レンズユニットを備えた鏡筒と、この鏡筒を保持する繰出しリングと、この繰出しリングを回動自在かつ光軸方向に移動自在に支持するホルダと、このホルダに前記繰出しリングを保持するカバーとを備え、前記繰出しリングと前記ホルダとの何れか一方の当接面に高さが異なる３つ以上の段差状のカム面を形成し、他方には前記カム面と係合可能な当接部を形成し、前記繰出しリングの回転により前記各カム面の何れかのカム面と当接部とを係合させ、少なくとも通常撮影モードと過焦点モード及びマクロ撮影モードの何れか撮影モードでの焦点が選択的に切り替え可能であるから、各撮影モードにおいて、正確にピント合わせを行うことができ、撮影性能の低下を回避することができる。
【００１７】
本発明の請求項２記載のレンズ繰出し装置によれば、前記繰出しリングに操作ノブを形成するとともに、この操作ノブにより繰出しリングを回転操作することによって、通常撮影モードと過焦点モード及びマクロ撮影モードの何れか撮影モードに選択的に切り替え可能であるとともに、その撮影モード切り替え時に前記ホルダに対して前記繰出しリングを位置決め保持するためのクリックリングを前記繰出しリングの外周に設けものであるから、各撮影モードにおいて当接部と複数あるカム面の何れかのカム面とを係合させた状態で正確に位置決め保持することができる。
【００１８】
本発明の請求項３記載のレンズ繰出し装置によれば、前記繰出しリングを位置決め保持する手段として前記クリックリングとカバーの何れか一方に、前記各撮影モードでの繰出しリングの位置に対応する凹状の係合受部を形成し、他方には前記係合受部と係合する係合突部を設けたものであるから、係合突部と係合受部との係合によって、各撮影モードにおいて当接部と複数あるカム面の何れかのカム面とを係合させた状態で正確に位置決め保持することができる。
【００１９】
本発明の請求項４記載のレンズ繰出し装置によれば、前記クリックリングが、前記繰出しリングの外周に回り止め状態で上下動自在組み付けられ、該クリックリングと前記ホルダとの間に弾性体を介在させ、この弾性体によって前記繰出しリングを前記ホルダ側に付勢するとともに、前記クリックリングを前記カバー側に付勢したものであるから、クリックリングとホルダとの間に介在する弾性体によって、繰出しリングのガタ付きを抑えることができるとともに、当接部を複数のカム面の何れかに確実に押し付けることができ、しかも、これら当接部とカム面との係合時において、クリックリングとカバーに形成する係合突部と係合受部との係合により、クリックリングを介して繰出しリングが不用意に回転してユーザが意図しない撮影モードに切り替わることを防止することができる。
【００２０】
本発明の請求項５記載のレンズ繰出し装置によれば、前記レンズ繰出し装置が、携帯電話機に組み付けられるから、オートフォーカスなどの複雑な機構を用いることなく、各撮影モードにおいて、正確にピント合わせを行うことができる。
【発明を実施するための最良の形態】
【００２１】
本発明の実施の形態を実施例に基づき図面を参照して説明する。図１は、本発明の一実施例を示すレンズ繰出し装置の分解斜視図、図２はレンズ繰出し装置を組み付けた状態の斜視図、図３はレンズ繰出し装置の平面図、図４は図３のＡ−Ａ線断面図、図５（Ａ）はホルダの平面図、図５（Ａ）はホルダの正面図、図６は繰出しリングの断面図、図７は繰出しリングの正面図、図８はクリックリングの平面図、図９はクリックリングの断面図、図１０はカバーの一部を切り欠いた正面図、図１１はカバーの底面図である。
【００２２】
本発明の実施例におけるマクロ撮影用レンズ繰出し装置は、ＣＣＤ等の撮像素子が組込まれたホルダ１と、レンズユニット７が組込まれた鏡筒１０と、この鏡筒１０を光軸方向に位置調整可能に保持する繰出しリング１５と、前記ホルダ１に前記繰出しリング１５を保持するカバー２０などから構成されている。なお、これらの構成部品は樹脂による一体成形品である。
【００２３】
ホルダ１は、レンズ繰出し装置のベースであって、図５に示すように前記繰出しリング１５を支持する枠状の載置部２を備え、この載置部２のコーナーに位置して前記カバー２０を固定するための４本のボス部３が一体形成されている。また、載置部２と前記各ボス部３の内側には、繰出しリング１５を回動自在に案内するリング状の案内筒部５Ａと円弧状の案内壁部５Ｂとが形成され、このリング状の案内筒部５Ａと案内壁部５Ｂに沿って繰出しリング１５が回動自在に保持され、かつ、該ボス部３に固定した前記カバー２０とホルダ１の載置部２との間に位置して繰出しリング１５が光軸方向に移動自在に配置されている。また、載置部２には、案内筒部５Ａの内側に位置して開口部６が形成されている。
【００２４】
繰出しリング１５は、図６に示すように前記鏡筒１０を組み込むための円筒部１６を有し、この円筒部１６の内周面に形成した雌ネジ１６Ａに前記鏡筒１０の外周面に形成した雄ネジ１０Ａを螺着している。また、前記ホルダ１の載置部２には、前記繰出しリング１５の高さを三段階で調整するための段差状の第1、第２、第３カム面４Ａ,４Ｂ,４Ｃが形成され、この第１、第２、第３カム面４Ａ,４Ｂ,４Ｃと係合する当接部１７が前記繰出しリング１５の下端部から下方に向かって突出形成されている。なお、図５などで示すように第１、第２、第３カム面４Ａ,４Ｂ,４Ｃは、正方形状のホルダ１の４辺にそれぞれ形成され、これら第１、第２、第３カム面４Ａ,４Ｂ,４Ｃと係合する当接部１７は、図６及び図７に示すように、９０度の間隔毎に円筒部１６の下端部から突起状に突設されている。さらに、繰出しリング１５の円筒部１６には前記カバー２０から外方に突出するように操作ノブ１８が外方に向かって一体形成され、この操作ノブ１８を回して繰出しリング１５を回転操作することによって、前記当接部１７が第１、第２、第３カム面４Ａ,４Ｂ,４Ｃの何れかに係合する。また、繰出しリング１５には、前記当接部１７が第１、第２、第３カム面４Ａ,４Ｂ,４Ｃの何れかと係合した際、繰出しリング１５を保持するためのクリックリング３０が取り付けられている。
【００２５】
クリックリング３０は、図８及び図９に示すように、前記繰出しリング１５の前記円筒部１６の外側に嵌合するようにリング状に形成され、その外周から前記繰出しリング１５の前記操作ノブ１８を挟持する左右一対の押え片３１が一体形成されている。この押え片３１の間隔は操作ノブ１８の幅とほぼ同じ間隔に形成され、かつ、操作ノブ１８に沿ってクリックリング３０が上下動自在に案内し得るように下方に延設されている。これにより、繰出しリング１５の円筒部１６にクリックリング３０を外装して前記操作ノブ１８を押え片３１で両側から挟むことによって前記クリックリング３０は、繰出しリング１５に対してクリックリング３０が回り止め状態で保持されるとともに、繰出しリング１５に対してクリックリング３０が上下動自在に組み付けられる。また、クリックリング３０の上端縁には、３つの凹状の係合受部３２が前記第１、第２、第３カム面４Ａ,４Ｂ,４Ｃの間隔と対応するように形成されており、この係合受部３２と後述するカバー２０の係合突部との係合により、クリックリング３０がカバー２０に対して位置決め保持される。このように、クリックリング３０を位置決め保持することによって、クリックリング３０を介して前記繰出しリング１５の位置が保持され、該繰出しリング１５の当接部１７が、前記ホルダ１の第１、第２、第３カム面４Ａ,４Ｂ,４Ｃとの何れかに係合した状態で保持される。
【００２６】
前記カバー２０は、前記繰出しリング１５を抑える平板部２１と、この平板部２１の周縁からそれぞれ相対向するように垂設された側壁部２２とを有している。前記カバー２０の前記平板部２１には前記鏡筒１０が臨む開口部２３を形成するとともに、この開口部２３の周縁に位置して係合受部３２と係合する弾性変形可能な係合突部２４が下方に向けて一体形成されている。また、前記カバー２０の側壁部２２には、ホルダ１の外周面に形成するフック２５と係合する係止孔２６が形成されている。なお、図３において、符号２７は前記平板部２１に係合突部２４を形成するための抜き孔である。また、繰出しリング１５の下端部周縁にはフランジ部１５Ａが形成され、このフランジ部１５Ａと前記クリックリング３０との間には弾性体としてコイルバネ２８が介在している。このコイルバネ２８は前記繰出しリング１５の当接部１７を前記ホルダ１の第１、第２、第３カム面４Ａ,４Ｂ,４Ｃに押し付けように繰出しリング１５を下方に付勢するとともに、クリックリング３０の係合受部３２を前記カバー２０の係合突部２４に押し付けようにクリックリング３０を上方に付勢している。
【００２７】
次に図５（Ａ）（Ｂ）を参照して前記ホルダ１に形成する第１、第２、第３カム面４Ａ,４Ｂ,４Ｃについて説明する。図５（Ａ）に示すように、ホルダ１の載置部２の上端縁から時計方向に沿って第１、第２、第３カム面４Ａ,４Ｂ,４Ｃ順次、段違い状に形成されている。また、ホルダ１の下端縁から第１、第２、第３カム面４Ａ,４Ｂ,４Ｃまでのそれぞれの高さｈ１,ｈ２,ｈ３は、第１カム面４Ａが０．５５ｍｍ、第２カム面４Ｂが０．５６ｍｍ、第３カム面４Ｃが０．６８ｍｍに設定されており、第１カム面４Ａが通常撮影位置、第２カム面４Ｂが過焦点撮影位置、第３カム面４Ｃがマクロ撮影位置にそれぞれ対応する。すなわち、繰出しリング１５の操作ノブ１８を操作して繰出しリング１５を時計方向に回転操作すると、繰出しリング１５の当接部１７は、順次、前記ホルダ１の第１、第２、第３カム面４Ａ,４Ｂ,４Ｃに乗り上がり、通常撮影モード、過焦点撮影モード、マクロ撮影モードへと切り替わる。
【００２８】
以上のように構成される本実施例における組立手順について説明する。まず、繰出しリング１５の下端部周縁に形成するフランジ部１５Ａ上にコイルバネ２８を載置してから、繰出しリング１５の外周にクリックリング３０を嵌め入れるとともに、クリックリング３０の押え片３１の間に繰出しリング１５の操作ノブ１８を挿入する。これにより、繰出しリング１５に対してクリックリング３０が回り止め状態で保持され、繰出しリング１５とクリックリング３０とが一体的に回転し、かつ、繰出しリング１５に対してクリックリング３０が上下動自在に組み付けられる。
【００２９】
次に、コイルバネ２８とクリックリング３０とを組み付けた繰出しリング１５をホルダ１の載置部２に載置する。ここで、繰出しリング１５の下端部から突出する当接部１７が載置部２に形成する案内筒部５Ａとボス部３の内側に形成する案内壁部５Ｂとの間に位置するとともに、当接部１７が第１、第２、第３カム面４Ａ,４Ｂ,４Ｃの何れかに乗り上がった状態で組み付けられる。そして、繰出しリング１５の前面側からカバー２０を被せ、カバー２０に形成する係止孔２６をホルダ１に形成するフック２５と引っ掛けて係合するとともに、カバー２０をボス部３にねじ止めすることによって繰出しリング１５をホルダ１に組み付け固定する。ホルダ１に組み付けられた繰出しリング１５は、ホルダ１の案内筒部５Ａと案内壁部５Ｂに沿って回動自在に保持され、かつ、カバー２０とホルダ１の載置部２との間に位置して光軸方向に移動自在に配置されている。さらに、繰出しリング１５のフランジ部１５Ａと前記クリックリング３０との間に介在するコイルバネ２８によって前記繰出しリング１５の当接部１７が前記ホルダ１に形成する第１、第２、第３カム面４Ａ,４Ｂ,４Ｃの何れかに押し付けられ、かつ、クリックリング３０の係合受部３２が前記カバー２０の係合突部２４に押し付けられる。このようにして繰出しリング１５を組み付けた後、図３に示すように、操作ノブ１８が最も反時計方向となる位置（図３で実線で示す）、すなわち、繰出しリング１５の当接部１７がホルダ１に形成する第１カム面４Ａと係合する位置まで回動する。この状態で繰出しリング１５の雌ネジ１６Ａに鏡筒１０の外周面に形成された雄ネジ１４に螺合し、最終的にレンズユニット７の焦点距離を調整した後、接着剤などによって繰出しリング１５と鏡筒１０とを一体化する。また、繰出しリング１５の当接部１７がホルダ１に形成する最も低い第１カム面４Ａと係合した位置が、通常撮影位置ａであり、この状態で繰出しリング１５と一体化したクリックリング３０の係合受部３２がカバー２０に形成する係合突部２４とが係合し、繰出しリング１５は通常撮影位置ａで位置決め保持される。そして、操作ノブ１８を時計方向に回すことによって、繰出しリング１５と、この繰出しリング１５と一体化したクリックリング３０が回転し、クリックリング３０がコイルバネ２８に抗して降下し、カバー２０に形成する係合突部２４からクリックリング３０に形成した係合受部３２が抜け出し、繰出しリング１５の当接部１７がホルダ１に形成する中間の第２カム面４Ｂに乗り上がる。これにより、繰出しリング１５が光軸方向に移動し、かつ、クリックリング３０に形成した２番目の係合受部３２がカバー２０に形成する係合突部２４と係合する。こうして、繰出しリング１５の当接部１７がホルダ１に形成する中間の第２カム面４Ｂと係合した状態で繰出しリング１５が位置決め保持される。この当接部１７と第２カム面４Ｂと係合した位置が過焦点撮影位置ｂである。さらに、操作ノブ１８を時計方向に回すと、繰出しリング１５の当接部１７がホルダ１に形成する最も高い第３カム面４Ｃに乗り上がり、繰出しリング１５が光軸方向に移動する。これにより、クリックリング３０に形成した３番目の係合受部３２とカバー２０に形成��る係合突部２４とが係合し、繰出しリング１５がマクロ撮影位置ｃで位置決め保持され、結果として、鏡筒１０に組み込まれたレンズユニット７は、通常撮影位置ａ、過焦点撮影位置ｂ、マクロ撮影位置ｃでの焦点を得ることができる。なお、繰出しリング１５の当接部１７と前記ホルダ１の第１、第２、第３カム面４Ａ,４Ｂ,４Ｃとの係合の切り替えは、図３に示すように、操作ノブ１８、ひいては繰出しリング１５を２０°回転する毎、切り替わるようになっている。また、本実施例においては、通常撮影位置ａでの被写体との距離は２４５ｃｍ、過焦点撮影位置ｂでの被写体との距離は８５ｃｍ、マクロ撮影位置ｃでの被写体との距離は９ｃｍに設定されている。
【００３０】
以上のように、本実施例では、繰出しリング１５に形成する当接部１７と、ホルダ１に形成する第１、第２、第３カム面４Ａ,４Ｂ,４Ｃとを係合させて、通常撮影と過焦点撮影及びマクロ撮影との切換操作を行うことから、マクロ撮影にもかかわらず過焦点撮影でピントが合うなどといったトラブルもなく、各撮影モードにおいて、正確にピント合わせを行うことができ、撮影性能の低下を回避することができる。特に、本実施例におけるレンズ繰出し装置は携帯電話（図示せず）に組み込まれるものであり、オートフォーカスなどの複雑な機構を用いることなく、各撮影モードにおいて、正確にピント合わせを行うことができる。また、各撮影モードにおいて、クリックリング３０に形成した係合受部３２とカバー２０に形成する係合突部２４とが係合し、繰出しリング１５に形成する当接部１７と、ホルダ１に形成する第１、第２、第３カム面４Ａ,４Ｂ,４Ｃとの何れかを係合させた際、各撮影モードにおいて繰出しリング１５を正確に位置決め保持することができる。
【００３１】
以上、本発明の実施例について詳述したが、本発明は前記実施例に限定されるものではなく、本発明の要旨の範囲内で種々の変形実施が可能である。例えば、前記実施の形態では、ホルダ１側に第１、第２、第３カム面４Ａ,４Ｂ,４Ｃを設け、繰出しリング１５に当接部１７を形成した例を示したが、これとは逆に繰出しリング１５に第１、第２、第３カム面を設け、ホルダ１側に当接部を形成してもよい。また、前記実施例では、時計方向に沿って次第に高くなる第１、第２、第３カム面４Ａ,４Ｂ,４Ｃを形成した例を示したが、時計方向に沿って順次カム面が低くなるように形成したり、第３カム面４Ｃ、第１カム４Ａ、第２カム面４Ｂあるいは第２カム面４Ｂ、第１カム４Ａ、第３カム面４Ｃのようにバラバラに形成してもよく、要は、焦点距離を３段階に調整し得る構造であればよい。また、付勢手段もコイルバネに限らず、板バネなど弾性を備えた他の構成でもよく、レンズ繰出し装置としての基本的構成は適宜選定すればよい。
【図面の簡単な説明】
【００３２】
【図１】本発明の一実施例を示すレンズ繰出し装置の分解斜視図である。
【図２】同上、レンズ繰出し装置を組み付けた状態の斜視図である。
【図３】同上、レンズ繰出し装置の平面図である。
【図４】同上、図３のＡ−Ａ線断面図である。
【図５】同上、レンズ繰出し装置のホルダを示し、図５（Ａ）はホルダの平面図、図５（Ａ）はホルダの正面図である。
【図６】同上、繰出しリングの断面図である。
【図７】同上、繰出しリングの正面図である。
【図８】同上、クリックリングの平面図である。
【図９】同上、クリックリングの断面図である。
【図１０】同上、カバーの一部を切り欠いた正面図である。
【図１１】同上、カバーの底面図である。
【符号の説明】
【００３３】
１  ホルダ
２  載置部
４Ａ,４Ｂ,４Ｃ  第1、第２、第３カム面
７  レンズユニット
１０  鏡筒
１５  繰出しリング
１８  操作ノブ
２０  カバー
２４  係合突部
２８  コイルバネ（弾性体）
３０  クリックリング
３２  係合受部
【図１】
2008261943.tif 000003
【図２】
2008261943.tif 000004
【図３】
2008261943.tif 000005
【図４】
2008261943.tif 000006
【図５】
2008261943.tif 000007
【図６】
2008261943.tif 000008
【図７】
2008261943.tif 000009
【図８】
2008261943.tif 000010
【図９】
2008261943.tif 000011
【図１０】
2008261943.tif 000012
【図１１】
2008261943.tif 000013